(57)【要約】【課題】  再生音の周波数特性に影響を及ぼすことなく音量を調整する。【解決手段】  音声アナログ信号を１ビット量子化処理して伝送された音声ディジタル光信号（パルスの疎密波）を受光する受光部と、受光部で光電変換された１ビット量子化信号を音声アナログ信号に変換するフィルタ回路と、音声アナログ信号を音に変換するスピーカとを備えた光無線受信機において、スピーカの音量を設定する音量設定信号を出力する音量設定部と、音量設定信号に応じて受光部から出力される１ビット量子化信号のパルス幅を調整してフィルタ回路に出力するパルス幅調整部とを備える。【選択図】        図１
2006295457.tif 000002
【特許請求の範囲】
【請求項１】
音声アナログ信号を１ビット量子化処理して伝送された音声ディジタル光信号（パルスの疎密波）を受光する受光部と、
前記受光部で光電変換された１ビット量子化信号を音声アナログ信号に変換するフィルタ回路と、
前記音声アナログ信号を音に変換するスピーカと
を備えた光無線受信機において、
前記スピーカの音量を設定する音量設定信号を出力する音量設定部と、
前記音量設定信号に応じて前記受光部から出力される１ビット量子化信号のパルス幅を調整して前記フィルタ回路に出力するパルス幅調整部と
を備えたことを特徴とする光無線受信機。
【請求項２】
請求項１に記載の光無線受信機において、
前記音量設定部は、出力電圧を調整可能な基準電圧発生回路で構成し、
前記パルス幅調整部は、前記受光部から出力される１ビット量子化信号を所定の時定数を有するローパスフィルタを介して判別回路に入力し、前記基準電圧発生回路の出力電圧をスライスレベルとして判別し、前記受光器から出力される１ビット量子化信号のパルス幅を調整して出力する構成である
ことを特徴とする光無線受信機。
【請求項３】
請求項１または請求項２に記載の光無線受信機において、
前記パルス幅調整部は、前記受光器から出力される１ビット量子化信号のパルス幅を調整し、かつ相補的な信号を生成して前記フィルタ回路に出力する構成であり、
前記スピーカは前記相補的な信号により駆動される構成である
ことを特徴とする光無線受信機。
【発明の詳細な説明】
【技術分野】
【０００１】
本発明は、音声アナログ信号を１ビット量子化処理して伝送された音声ディジタル光信号（パルスの疎密波）を受信し、音声アナログ信号を再生する光無線受信機に関する。
【背景技術】
【０００２】
図５は、１ビット量子化信号伝送システムの回路構成例を示す（非特許文献１，２）。図において、光無線送信機は、音声アナログ信号を入力とし、１ビット量子化Ａ／Ｄ変換器５１で１ビット量子化信号（パルスの疎密波）に変換し、発光器（IrDA-TX ）５２からオン／オフキーイングされた音声ディジタル光信号（赤外線）として送信する構成である。
【０００３】
光無線受信機は、音声ディジタル光信号を受光器（IrDA-RX ）５３で電気信号（１ビット量子化信号）に変換し、反転バッファ５４で波形整形し、フィルタ回路５５で音声アナログ信号を再生してスピーカ５６を駆動する構成である。このような構成により、光無線受信機にはクロック再生やフレーム同期などのディジタル伝送に特有の回路が必要なくなり、さらにＤ／Ａ変換器も不要となるため、小型・低電力化が可能となる。
【非特許文献１】http://www.voiceubique.com/technology.html
【非特許文献２】Ryusuke Kawano et al.,"VoiceUbique Ultra-Small High-Quality Infrared Audio Receiver",in Poec. 2005 International Conference on Consumer Erectronics(ICCE 2005), Las Vegas,USA,January 2005, pp.285-286
【発明の開示】
【発明が解決しようとする課題】
【０００４】
従来の光無線受信機では、フィルタ回路５５の抵抗値を可変し、損失を増減することにより音量を調整していた。しかし、フィルタ回路５５の抵抗値を可変させる方法では、音量の調整に伴って周波数特性が変化し、再生音も変化する問題があった。
【０００５】
本発明は、再生音の周波数特性に影響を及ぼすことなく音量を調整することができる光無線受信機を提供することを目的とする。
【課題を解決するための手段】
【０００６】
本発明は、音声アナログ信号を１ビット量子化処理して伝送された音声ディジタル光信号（パルスの疎密波）を受光する受光部と、受光部で光電変換された１ビット量子化信号を音声アナログ信号に変換するフィルタ回路と、音声アナログ信号を音に変換するスピーカとを備えた光無線受信機において、スピーカの音量を設定する音量設定信号を出力する音量設定部と、音量設定信号に応じて受光部から出力される１ビット量子化信号のパルス幅を調整してフィルタ回路に出力するパルス幅調整部とを備える。
【０００７】
ここで、音量設定部は、出力電圧を調整可能な基準電圧発生回路で構成し、パルス幅調整部は、受光部から出力される１ビット量子化信号を所定の時定数を有するローパスフィルタを介して判別回路に入力し、基準電圧発生回路の出力電圧をスライスレベルとして判別し、受光器から出力される１ビット量子化信号のパルス幅を調整して出力する構成である。
【０００８】
また、パルス幅調整部は、受光器から出力される１ビット量子化信号のパルス幅を調整し、かつ相補的な信号を生成してフィルタ回路に出力する構成であり、スピーカは相補的な信号により駆動される構成としてもよい。
【発明の効果】
【０００９】
本発明の光無線受信機は、フィルタ回路の機能により１ビット量子化信号のパルスデューティに比例した音量が再生される特徴を利用し、１ビット量子化信号のパルス幅を調整する構成により、再生音の周波数特性に影響を及ぼすことなく音量を調整することができる。
【発明を実施するための最良の形態】
【００１０】
（第１の実施形態）
図１は、本発明の光無線受信機の第１の実施形態を示す。図において、本実施形態の光無線受信機は、受光器（IrDA-RX ）５３の出力Ｐ０をローパスフィルタ１１および判別回路１２で構成されるパルス幅調整部に入力し、そのパルス幅を基準電圧発生回路１３で構成される音量設定部の設定値に従って調整し、フィルタ回路５５で音声アナログ信号を再生し、スピーカ５６を駆動する構成である。
【００１１】
パルス幅調整部を構成するローパスフィルタ１１は、抵抗器ＲとコンデンサＣで構成されるパッシブフィルタであり、必要に応じて２段以上の構成としてもよい。パルス幅調整部を構成する判別回路１２は、コンパレータＩＣ１と非反転バッファＩＣ２により構成され、ローパスフィルタ１１の出力Ｐ１をコンパレータＩＣ１の負極入力に接続する。
【００１２】
音量設定部を構成する基準電圧発生回路１３は、高電位電圧源（電源電圧Ｖ0 ）と低電位電圧源（接地）との間に接続される可変抵抗器の抵抗値を分割する出力端子を有し、出力端子に取り出される基準電圧発生回路１３の出力（分圧電圧値）Ｐ２をコンパレータＩＣ１の正極入力に接続する。これにより、コンパレータＩＣ１に入力されるローパスフィルタ１１の出力Ｐ１は、基準電圧発生回路１３の出力Ｐ２で判別され、その判別出力Ｐ３が非反転バッファＩＣ２を介して出力され、さらにフィルタ回路５５を介してスピーカ５６を駆動するアナログ信号に変換される。
【００１３】
図２は、第１の実施形態の光無線受信機の動作例を示す。図２(1) 〜(3) に示すＰ０〜Ｐ３は、それぞれ受光器５３の出力、ローパスフィルタ１１の出力、基準電圧発生回路１３の出力、コンパレータＩＣ１の判別出力である。基準電圧発生回路１３の出力Ｐ２は、ローパスフィルタ１１の出力Ｐ１を判別するスライスレベルとなり、図２(1) 〜(3) における基準電圧発生回路１３の出力Ｐ２の値Ｖp(1)〜Ｖp(3)は、
Ｖp(2)＜Ｖp(1)＜Ｖp(3)
という関係になり、基準電圧発生回路１３の出力Ｐ２に応じてコンパレータＩＣ１の判別出力Ｐ３のパルス幅Ｔw(1)〜Ｔw(3)は、
Ｔw(2)＜Ｔw(1)＜Ｔw(3)
となる。
【００１４】
ところで、光無線受信機ではフィルタ回路５５の機能により、１ビット量子化信号のパルスデューティに比例した音量が再生される特徴があるので、基準電圧発生回路１３の出力Ｐ２をＶp(2)、Ｖp(1)、Ｖp(3)の順に設定することにより、コンパレータＩＣ１の判別出力Ｐ３のパルス幅が順に大きくなり、音量が大きくなる。なお、基準電圧発生回路１３の構成により、音量設定は３段階以上あるいは連続的に行うことも可能である。
【００１５】
（第２の実施形態）
図３は、本発明の光無線受信機の第２の実施形態を示す。本実施形態の特徴は、スピーカ５６を相補信号で駆動するために、判別回路１２で判別出力Ｐ３の相補信号を生成するところにある。ここでは、コンパレータＩＣ１の判別出力Ｐ３を２分岐し、一方を非反転バッファＩＣ２に入力し、他方を反転バッファＩＣ３に入力し、それぞれ相補的な信号を生成してフィルタ回路５５を介してスピーカ５６を駆動する。音量調整のための構成および動作は第１の実施形態と同様である。
【００１６】
（第３の実施形態）
図４は、本発明の光無線受信機の第３の実施形態を示す。本実施形態の特徴は、スピーカ５６を相補信号で駆動するために、判別回路１２で判別出力Ｐ３の相補信号を生成するところにある。ここでは、判別回路１２をコンパレータＩＣ１および非反転バッファＩＣ２と、コンパレータＩＣ４および非反転バッファＩＣ５で構成する。ローパスフィルタ１１の出力Ｐ１は、コンパレータＩＣ１の負極入力およびコンパレータＩＣ４の正極入力に接続し、基準電圧発生回路１３の出力Ｐ２は、コンパレータＩＣ１の正極入力およびコンパレータＩＣ４の負極入力に接続する。コンパレータＩＣ１，ＩＣ４の各判別出力Ｐ３，Ｐ４を非反転バッファＩＣ２，ＩＣ５に入力し、それぞれ相補的な信号を生成してフィルタ回路５５を介してスピーカ５６を駆動する。音量調整のための構成および動作は第１の実施形態と同様である。
【図面の簡単な説明】
【００１７】
【図１】本発明の光無線受信機の第１の実施形態を示す図。
【図２】第１の実施形態の光無線受信機の動作例を示すタイムチャート。
【図３】本発明の光無線受信機の第２の実施形態を示す図。
【図４】本発明の光無線受信機の第３の実施形態を示す図。
【図５】１ビット量子化信号伝送システムの回路構成例を示す図。
【符号の説明】
【００１８】
１１  ローパスフィルタ
１２  判別回路
１３  基準電圧発生回路
５１  １ビット量子化Ａ／Ｄ変換器
５２  発光器（IrDA-TX ）
５３  受光器（IrDA-RX ）
５４  反転バッファ
５５  フィルタ回路
５６  スピーカ
ＩＣ１  コンパレータ
ＩＣ２  非反転バッファ
ＩＣ３  反転バッファ
ＩＣ４  コンパレータ
ＩＣ５  非反転バッファ
【図１】
2006295457.tif 000003
【図２】
2006295457.tif 000004
【図３】
2006295457.tif 000005
【図４】
2006295457.tif 000006
【図５】
2006295457.tif 000007